(57)【特許請求の範囲】
【請求項１】
コンクリート型枠板の間隔を保持する型枠保持部材に取り付けられると共に、型枠締付部材を除去した後の抜き孔の内部に位置する弾性変形可能なパッキンであって、
前記型枠保持部材が挿入される挿入孔と、左右方向に沿って平坦な前端面と、を備える本体部と、
前記本体部の外周側面から突出すると共に前記本体部の前端に設けられる鍔部と、
取付工具を取付可能な外形及び大きさと、前記型枠保持部材に取り付けられた型枠締付部材を除去した後の抜き穴を塞ぐキャップと嵌合可能な外形及び大きさと、を有し、前記本体部の後方に設けられる頭部と、
を備え、
前記挿入孔は、
前記前端面に開口し、前記前端面から後方に延設されると共に前後方向に沿って同一径であり、
前記本体部は、
前記鍔部が前記抜き孔の内壁面に密着することにより、前記挿入孔に挿入される前記型枠保持部材を弾性力によって締め付ける、
ことを特徴とするパッキン。
【請求項２】
前記鍔部は、
後方に向かって外方に傾斜すると共に、後方に向かうほど薄肉となる薄肉部を備える、
ことを特徴とする請求項１記載のパッキン。
【請求項３】
前記挿入孔は、
前記型枠保持部材の外螺子部と螺合可能である、
ことを特徴とする請求項１又は請求項２記載のパッキン。
【請求項４】
熱可塑性エラストマーにより形成されていることを特徴とする請求項１から請求項３の何れかに記載のパッキン。
【請求項５】
前記本体部は、
前後方向に沿って同一径の円柱状であり、
前記頭部は、
前後方向に沿って同一径であると共に、前記本体部よりも小径の円柱状である、
ことを特徴とする請求項１から請求項４のいずれかに記載のパッキン。
【請求項６】
コンクリート型枠板の間隔を保持する型枠保持部材に取り付けられると共に、型枠締付部材を除去した後の抜き孔の内部に位置する密閉部材であって、
前記型枠保持部材に取り付けられる弾性変形可能なパッキンと、前記パッキンに取り付けられると共に前記型枠保持部材に取り付けられた型枠締付部材を除去した後の抜き穴を塞ぐキャップと、を有し、
前記パッキンは、
前記型枠保持部材が挿入される挿入孔と、左右方向に沿って平坦な前端面と、を備える本体部と、
前記本体部の外周側面から突出すると共に前記本体部の前端に設けられる第１の鍔部と、
取付工具を取付可能な外形及び大きさと、前記型枠保持部材に取り付けられた型枠締付部材を除去した後の抜き穴を塞ぐキャップと嵌合可能な外形及び大きさと、を有し、前記本体部の後方に設けられる頭部と、
を備え、
前記挿入孔は、
前記前端面に開口し、前記前端面から後方に延設されると共に前後方向に沿って同一径であり、
前記本体部は、
前記鍔部が前記抜き孔の内壁面に密着することにより、前記挿入孔に挿入される前記型枠保持部材を弾性力によって締め付ける、
ことを特徴とする密閉部材。
【請求項７】
前記キャップは、
前記頭部に取り付けられる取付部と、
前記取付部に設けられ、前記頭部に着脱自在に嵌合する嵌合穴と、
前記取付部の後端に設けられ、前記取付部の外周側面より鍔状に突出する第２の鍔部と、
を更に有することを特徴とする請求項６記載の密閉部材。
【発明の詳細な説明】
【技術分野】
【０００１】
本発明は、コンクリート型枠板の間隔を保持する型枠保持部材に取り付けられるパッキン及び密閉部材に関する。
【背景技術】
【０００２】
従来、コンクリート構造物は、コンクリート型枠板を建て込み、コンクリート打設、養生期間及び脱型等の工程を経て作られる。これらの一連の工程では、コンクリート型枠板の変形を防ぐために、コンクリート型枠板相互の間隔を保持するための型枠保持部材と、型枠保持部材に取り付けられた型枠締付部材としてのＰコン（登録商標）と、が用いられる。かかるＰコンは、脱型後に除去される。
【０００３】
従来、このような型枠保持部材及びＰコンを用いたコンクリート構造物では、十分な養生期間を設けずにコンクリート型枠板を脱型した際に、脱型時の振動で型枠保持部材とコンクリートとの間に水の通る隙間を生じる。または、ブリーディングによるコンクリートの沈降又はコンクリートの収縮により、型枠保持部材とコンクリートとの間に水の通る隙間を生じる。このようにして型枠保持部材とコンクリートとの間に隙間を生じた場合には、この隙間からＰコンを除去した後の抜き穴に漏水することが考えられる。
【０００４】
特許文献１は、セパレーターの端部に取り付けたコンを型枠の解体後に抜き取り、コンの頭部とほぼ同一のコン穴埋め部材を、コンの除去後のコン穴に接着剤で入れてコン穴を埋める構成を開示する。特許文献１によれば、コン穴に入れたコン穴埋め部材により、コンを除去した後の抜き穴への漏水を防ぐことができる。
【先行技術文献】
【特許文献】
【０００５】
【特許文献１】特開平７−４２３６３号公報
【発明の概要】
【発明が解決しようとする課題】
【０００６】
しかしながら、特許文献１においては、コン穴の内壁面に凹凸がある場合に、コン穴埋め部材とコン穴の内壁面との間に隙間を生じ、型枠保持部材とコンクリートとの間からこの隙間を介して、コン穴に漏水するという課題を有する。また、特許文献１においては、コン穴埋め部材をコン穴に接着剤で接着することにより、コン穴への漏水を防げるものの、コン穴又はコン穴埋め部材に接着剤を塗布する必要があるため、接着剤を塗布する作業が面倒であるという課題を有する。
【０００７】
本発明の目的は、簡単な作業で型枠保持部材とコンクリートとの境界面を外部から密閉することができ、コンを除去した後の抜き穴への漏水を防ぐことができるパッキン及び密閉部材を提供することである。
【課題を解決するための手段】
【０００８】
本発明に係るパッキンは、コンクリート型枠板の間隔を保持する型枠保持部材に取り付けられると共に、型枠締付部材を除去した後の抜き孔の内部に位置する弾性変形可能なパッキンであって、前記型枠保持部材が挿入される挿入孔と、左右方向に沿って平坦な前端面と、を備える本体部と、前記本体部の外周側面から突出すると共に前記本体部の前端に設けられる鍔部と、取付工具を取付可能な外形及び大きさと、前記型枠保持部材に取り付けられた型枠締付部材を除去した後の抜き穴を塞ぐキャップと嵌合可能な外形及び大きさと、を有し、前記本体部の後方に設けられる頭部と、を備え、前記挿入孔は、前記前端面に開口し、前記前端面から後方に延設されると共に前後方向に沿って同一径であり、前記本体部は、前記鍔部が前記抜き孔の内壁面に密着することにより、前記挿入孔に挿入される前記型枠保持部材を弾性力によって締め付ける。
【０００９】
本体部の挿入孔に型枠保持部材を挿入すると共に、型枠締付部材を除去した後の抜き穴の内壁面に鍔部が弾性変形して密着することにより、接着剤を塗布する等の面倒な作業を行うことなく、簡単な作業で型枠保持部材とコンクリートとの境界面を外部から密閉する。
【００１０】
本発明に係る密閉部材は、コンクリート型枠板の間隔を保持する型枠保持部材に取り付けられると共に、型枠締付部材を除去した後の抜き孔の内部に位置する密閉部材であって、前記型枠保持部材に取り付けられる弾性変形可能なパッキンと、前記パッキンに取り付けられると共に前記型枠保持部材に取り付けられた型枠締付部材を除去した後の抜き穴を塞ぐキャップと、を有し、前記パッキンは、前記型枠保持部材が挿入される挿入孔と、左右方向に沿って平坦な前端面と、を備える本体部と、前記本体部の外周側面から突出すると共に前記本体部の前端に設けられる第１の鍔部と、取付工具を取付可能な外形及び大きさと、前記型枠保持部材に取り付けられた型枠締付部材を除去した後の抜き穴を塞ぐキャップと嵌合可能な外形及び大きさと、を有し、前記本体部の後方に設けられる頭部と、を備え、前記挿入孔は、前記前端面に開口し、前記前端面から後方に延設されると共に前後方向に沿って同一径であり、前記本体部は、前記鍔部が前記抜き孔の内壁面に密着することにより、前記挿入孔に挿入される前記型枠保持部材を弾性力によって締め付ける。
【００１１】
本体部の挿入孔に型枠保持部材を挿入すると共に、型枠締付部材を除去した後の抜き穴の内壁面に鍔部が弾性変形して密着し、パッキンに取り付けられたキャップで抜き穴を塞ぐことにより、接着剤を塗布する等の面倒な作業を行うことなく、簡単な作業で型枠保持部材とコンクリートとの境界面を外部から密閉する。
【発明の効果】
【００１２】
本発明によれば、簡単な作業で型枠保持部材とコンクリートとの境界面を外部から密閉することができ、コンを除去した後の抜き穴への漏水を防ぐことができる。
【図面の簡単な説明】
【００１３】
【図１】本発明の実施形態に係るパッキンの斜視図である。
【図２】本発明の実施形態に係るパッキンの側面図である。
【図３】本発明の実施形態に係るパッキンの正面図である。
【図４】本発明の実施形態に係るパッキンの背面図である。
【図５】本発明の実施形態におけるキャップの斜視図である。
【図６】本発明の実施形態に係る密閉部材の斜視図である。
【図７】本発明の実施形態に係るキャップ及び密閉部材の使用方法を示す作業工程図である。
【図８】本発明の実施形態に係るパッキンの使用方法の変形例を示す図である。
【図９】本発明の実施形態の変形例に係るパッキンの側面図である。
【図１０】本発明の実施形態の変形例１に係るパッキンの正面図である。
【図１１】本発明の実施形態の変形例２に係るパッキンを型枠保持部材に取り付けた状態の断面図である。
【発明を実施するための形態】
【００１４】
以下、図面を適宜参照して、本発明の実施形態に係るパッキン及び密閉部材につき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１５】
＜パッキンの構成＞
本発明の実施形態に係るパッキン１の構成につき、図１から図４を参照しながら、以下に詳細に説明する。
【００１６】
パッキン１は、本体部１０及び頭部２０を備えている。パッキン１は、エラストマー又はＥＶＡ樹脂により形成されている。エラストマーとしては、例えば熱可塑性エラストマー（軟質樹脂）又はゴムを用いる。熱可塑性エラストマーとしては、例えばオレフィン系エラストマー、スチレン系エラストマー、ポリエステル系エラストマー又はポリウレタン系エラストマーを用いる。ゴムとしては、例えば天然ゴム又は合成ゴムを用いる。なお、パッキン１は、上記材料を主成分とする材料を用いて形成されていて弾性変形可能であれば、上記材料以外の材料が含まれている混合材料等の類似の軟質系樹脂により形成されていてもよい。
【００１７】
本体部１０は、円筒状であり、前後方向に同一径に形成されている。本体部１０は、当接部９と、前端面１１と、内螺子部１２と、鍔部１３と、リブ１４と、を備えている。
【００１８】
当接部９は、本体部１０の後端に設けられ、ｘ−ｚ平面に沿って平坦になっている。
【００１９】
前端面１１は、本体部１０の前端に設けられ、鍔部１３の前端面１３２と面一であると共に、ｘ−ｚ平面に沿って平坦になっている。
【００２０】
内螺子部１２は、前端面１１の中心から後方に延設されると共に、型枠保持部材が挿入される挿入孔であり、型枠保持部材の外螺子部（図１から図４において記載を省略）と螺合する。内螺子部１２の内径は、型枠保持部材の外螺子部の外径に応じて変更される。
【００２１】
鍔部１３は、本体部１０の前端において外周側面より鍔状に突出し、弾性変形可能である。鍔部１３には、正面から見て内方側から外方端部に向けて徐々に薄肉となる薄肉部１３１が外周に沿って形成されている。鍔部１３には、ｘ−ｚ平面に沿って平坦な前端面１３２が前端に設けられている。
【００２２】
リブ１４は、本体部１０の前後方向に沿って外周側面より突出し、本体部１０の外周側面に沿って複数設けられている。
【００２３】
頭部２０は、本体部１０の後方に設けられ、前後方向に同一径であって本体部１０よりも小径に形成されている。頭部２０は、取付工具の形状及び大きさに対応する外形及び大きさ、又は、型枠保持部材に取り付けられたＰコン（型枠締付部材）を除去した後の抜き穴を塞ぐキャップ２と嵌合可能な外形及び大きさに形成されている。頭部２０は、典型的には、取付工具のソケット部に圧入可能な円柱状であると共に、取付工具のソケット部に圧入可能な径を有している。
【００２４】
＜キャップの構成＞
本発明の実施形態におけるキャップ２の構成につき、図５を参照しながら、以下に詳細に説明する。
【００２５】
キャップ２は、硬質樹脂により形成されていることが好ましく、典型的にはポリエチレンにより形成されている。キャップ２は、取付部３１と、本体部３２と、鍔部３３と、リブ３４と、を備えている。
【００２６】
取付部３１は、頭部２０に取り付けられる。取付部３１には、パッキン１の頭部２０の外形に対応する相補的形状及び大きさである正面から見て円形であると共に、頭部２０に着脱自在に嵌合する嵌合穴３１１が設けられている。
【００２７】
本体部３２は、取付部３１に対して所定間隔を設けて対向して取付部３１の後方側を覆っている。
【００２８】
鍔部３３は、弾性変形可能であり、本体部３２の後端において本体部３２の外周側面より鍔状に突出している。
【００２９】
リブ３４は、前後方向に沿って本体部３２の外周側面より外方に突出している。リブ３４は、本体部３２の外周側面に沿って所定間隔で複数設けられている。
【００３０】
パッキン１とキャップ２とを一体に結合することにより、図６に示す密閉部材３が形成される。パッキン１とキャップ２とを一体に結合した際の前後方向の長さ（全長）は、Ｐコンの抜き穴の深さに応じて、本体部１０、頭部２０又は取付部３１の前後方向の長さを変更することにより変更される。
【００３１】
＜パッキン及びキャップの使用方法＞
本発明の実施形態に係るパッキン１及びキャップ２の使用方法につき、図７を参照しながら、以下に詳細に説明する。
【００３２】
図７において、図７（ａ）はＰコンを除去した状態のコンクリート構造物の要部の断面図であり、図７（ｂ）は型枠保持部材にパッキンを取り付けた状態のコンクリート構造物の要部の断面図であり、図７（ｃ）は型枠保持部材にパッキンを取り付けた状態のコンクリート構造物の断面図であり、図７（ｄ）は型枠保持部材に取り付けたパッキンにキャップを取り付けた状態のコンクリート構造物の要部の断面図である。
【００３３】
コンクリート構造物は、コンクリート型枠板を建て込み、コンクリート打設、養生期間及び脱型の工程を経て、図７（ａ）に示す状態になる。この状態では、コンクリート型枠板及びＰコンは取り除かれ、型枠保持部材４２の端部がＰコンを除去した後の抜き穴４１の内底壁面４１１から抜き穴４１内に突出している。抜き穴４１は、養生期間経過後にＰコンを除去可能にするために、内底壁面４１１から外方に向けて徐々に大径となっている。
【００３４】
まず、パッキン１の前端面１１を、抜き穴４１に対するパッキン１の挿入方向に向けた状態でパッキン１を抜き穴４１に挿入する。
【００３５】
次に、型枠保持部材４２の端部の外螺子部４２１と内螺子部１２との位置合わせを行う。
【００３６】
次に、取付工具６０のソケット部に頭部２０を圧入する。取付工具６０のソケット部は円形であると共に円柱状の頭部２０を圧入可能な大きさであるため、取付工具６０のソケット部に頭部２０を圧入することができる。この際、パッキン１は弾性変形可能なエラストマー又はＥＶＡ樹脂により形成されているため、取付工具６０のソケット部に頭部２０を容易に圧入することができると共に、取付工具６０のソケット部から頭部２０を容易に抜き取ることができる。ここで、取付工具６０は、電動工具であることが好ましく、典型的には電動インパクトドライバーである。電動工具を用いることを可能にすることにより、型枠保持部材４２に対するパッキン１の取り付け作業を容易にすることができる。
【００３７】
次に、取付工具６０によりパッキン１を時計回りに回転させることにより、前端面１１が内底壁面４１１に当接して圧接するまで、外螺子部４２１と内螺子部１２とを螺合する。取付工具６０を用いて内螺子部１２と外螺子部４２１とを螺合することにより、抜き穴４１の奥に挿入して型枠保持部材４２に取り付けられるパッキン１の取り付け作業を容易にすることができる。この際、パッキン１の当接部９は取付工具６０のソケット部に当接するので、パッキン１に対して取付工具６０から前方（図７（ｂ）の左方向）へ強い押圧力を加えることができ、パッキン１の外螺子部４２１に対する取り付け作業を更に容易にすることができる。
【００３８】
また、鍔部１３は、抜き穴４１の内側壁面４１２により後方に引っ張られて弾性変形することにより、内側壁面４１２に密着する。更に、前端面１１及び前端面１３２が内底壁面４１１に密着する。これにより、図７（ｂ）に示す状態になる。
【００３９】
図７（ｂ）に示す状態では、鍔部１３が内側壁面４１２に密着することにより、内側壁面４１２に凹凸がある場合であっても、内底壁面４１１の型枠保持部材４２が突出する部分を密閉することができ、漏水等を防ぐことができる。特に、鍔部１３に薄肉部１３１を設けたので、薄肉部１３１が内側壁面４１２の形状に沿って隙間なく密着して、型枠保持部材４２とコンクリート４３との境界面を確実に密閉することができる。
【００４０】
また、鍔部１３を本体部１０の前端に設けることにより、前端面１３２が内底壁面４１１に密着するので、内底壁面４１１に凹凸がある場合であっても、型枠保持部材４２とコンクリート４３との境界面を確実に密閉することができ、漏水等を防ぐことができる。前端面１１を平坦にすることにより、前端面１１が内底壁面４１１に密着するので、内底壁面４１１に凹凸がある場合であっても、型枠保持部材４２とコンクリート４３との境界面を確実に密閉することができ、漏水等を防ぐことができる。内螺子部１２は平坦な前端面１１に開口しているため、本体部１０の弾性力で内螺子部１２により外螺子部４２１を強固に締め付けることができるので、型枠保持部材４２からのパッキン１の脱落を防ぐことができると共に、型枠保持部材４２とコンクリートとの間の隙間から外螺子部４２１を伝って漏水することを防ぐことができる。
【００４１】
型枠保持部材４２の両端の外螺子部４２１に対して、上記の作業を行ってパッキン１を取り付けることにより、図７（ｃ）に示す状態になる。
【００４２】
パッキン１を型枠保持部材４２から取り除く場合には、取り外し工具によりパッキン１を反時計回りに回転させることにより、外螺子部４２１と内螺子部１２との螺合を解除して、型枠保持部材４２よりパッキン１を取り除くことができる。このように、内螺子部１２を外螺子部４２１に螺合可能にすると共に頭部２０を所定の外形及び形状にすることにより、パッキン１の脱着を容易にすることができる。ここで、パッキン１は、取付工具と同一工具である取り外し工具により型枠保持部材４２から取り除かれることが好ましい。取付工具と同一工具である取り外し工具により、型枠保持部材４２からパッキン１を取り除くようにすることにより、型枠保持部材４２からパッキン１を取り除く作業を容易にすることができる。
【００４３】
図７（ｃ）に示す状態においてパッキン１にキャップ２を取り付ける場合には、パッキン１の頭部２０と、キャップ２の嵌合穴３１１と、を位置合わせして、頭部２０を嵌合穴３１１に嵌合させる。また、抜き穴４１の内側壁面４１２によりキャップ２の鍔部３３が後方に引っ張られることにより、弾性変形して内側壁面４１２に密着する。これにより、図７（ｄ）に示す状態になる。なお、パッキン１にキャップ２を取り付けなくてもよい。
【００４４】
図７（ｄ）に示す状態では、キャップ２をパッキン１に固定することができ、キャップ２の鍔部３３により型枠保持部材４２とコンクリート４３との境界面を外部から密閉するので、型枠保持部材４２とコンクリート４３との境界面に対する外部からの雨水等の浸入を防ぐことができる。また、抜き穴４１を塞ぐキャップ２と嵌合可能な所定の外形及び大きさを有する頭部２０を設けることにより、パッキン１に対してキャップ２を容易に取り付けることができる。更に、パッキン１にキャップ２を取り付けた状態で、キャップ２の取付部３１の前端がパッキン１の当接部９に当接することにより、キャップ２をがたつきなく安定してパッキン１に取り付けることができる。
【００４５】
このように、本実施形態によれば、コンクリート型枠板の間隔を保持する型枠保持部材４２に取り付けられる弾性変形可能なパッキン１であって、型枠保持部材４２が挿入される内螺子部１２を備える本体部１０と、本体部１０の外周側面から突出する鍔部１３と、を有することにより、簡単な作業で型枠保持部材とコンクリートとの境界面を外部から密閉することができ、コンを除去した後の抜き穴への漏水を防ぐことができる。
【００４６】
また、本実施形態によれば、内螺子部１２と型枠保持部材４２の外螺子部４２１とを螺合することにより、型枠保持部材４２に対するパッキン１の取り付け箇所を介しての漏水を防ぐことができると共に、外部からこの取り付け箇所を介して型枠保持部材４２とコンクリートとの境界面への水分の侵入を防ぐことができ、型枠保持部材４２の錆の進行を抑制することができる。
【００４７】
また、本実施形態によれば、パッキン１をアルカリ性に強い熱可塑性エラストマーで形成することにより、アルカリ性であるコンクリートによるパッキン１の腐食を抑制することができる。
【００４８】
また、本実施形態によれば、パッキン１に対してキャップ２を着脱自在にするので、パッキン１のみを型枠保持部材４２に取り付けること、又はパッキン１及びキャップ２を型枠保持部材４２に取り付けることを可能にして、仕様に応じた形態で型枠保持部材４２に取り付けることができる。
【００４９】
また、本実施形態によれば、取付工具６０のソケット部の形状と、嵌合穴３１１の形状と、を同一形状にすることにより、型枠保持部材４２に対するパッキン１の取り付けと、パッキン１に対するキャップ２の取り付けと、を頭部２０を用いて行うことができる。
【００５０】
なお、本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００５１】
具体的には、上記実施形態において、パッキン１にキャップ２を取り付けたが、パッキン１にキャップ２を取り付ずに、図８に示すように、型枠保持部材４２に取り付けたパッキン１をＰコンの抜き穴４１に充填したモルタル５０に埋設するようにしてもよい。
【００５２】
パッキン１をモルタル５０に埋設する場合、本体部１０を前後方向に同一径にすると共に頭部２０を前後方向に同一径にすることにより、本体部１０及び頭部２０と内側壁面４１２との距離を、内底壁面４１１から離れるほど大きくすることができるため、抜き穴４１に対してモルタル５０を容易に充填することができる。また、頭部２０の径を本体部１０の径よりも小さくすることにより、頭部２０と内側壁面４１２との距離を、本体部１０と内側壁面４１２との距離よりも大きくすることができるため、抜き穴４１に対してモルタル５０を更に容易に充填することができる。また、パッキン１にリブ１４を設けたことにより、パッキン１をモルタル５０内に強固に固定することができる。更に、抜き穴４１にモルタル５０を充填する従来の工程でもパッキン１を使用することができる。
【００５３】
また、上記実施形態において、前端面１１が内底壁面４１１に圧接するようにしたが、図９及び図１０に示すように、前端面１１から前方に突出する突出部１１１をパッキン４に設けて、突出部１１１が内底壁面４１１に圧接するようにしてもよい。この構成であっても、突出部１１１が内側壁面４１２に密着することにより、内底壁面４１１の型枠保持部材４２が突出する部分を外部から密閉することができ、漏水等を防ぐことができる。なお、図９及び図１０において、図１から図４と同一構成である部分については同一符号を付している。
【００５４】
また、上記実施形態において、図１１に示すように、鍔部１３の代わりに抜き穴４１の内側壁面４１２の大部分に密着する鍔部７３をパッキン５に設けてもよい。これにより、抜き穴４１への漏水を確実に防ぐことができる。なお、図１１において、図１から図４及び図７と同一構成である部分については同一符号を付している。
【００５５】
また、上記実施形態において、パッキン１にリブ１４を設けたが、パッキン１をモルタル５０に埋設しなければリブ１４を設けなくてもよい。これにより、パッキン１の構成を簡単にしてパッキン１の製造を容易にすることができる。
【００５６】
また、上記実施形態において、電動工具を用いてパッキン１を型枠保持部材４２に取り付けたが、手動工具を用いてパッキン１を型枠保持部材４２に取り付けてもよい。
【００５７】
また、上記実施形態において、外螺子部４２１と内螺子部１２とを螺合したが、内螺子部１２に外螺子部４２１が遊嵌する程度の寸法上の余裕度を設けて外螺子部４２１と内螺子部１２とを螺合するようにしてもよい。この場合、頭部２０の後端を前方に向けて叩く叩き込み可能な電動又は手動の取付工具を用いて、外螺子部と内螺子部とを螺合させることができ、作業効率を更に向上させることができる。手動の取付工具は、典型的にはプラスチック製の打ち込み棒である。
【００５８】
また、上記実施形態において、頭部２０の形状を後方から見て円形にすると共にキャップ２の嵌合穴３１１の形状を前方から見て円形にしたが、頭部２０の後方から見た形状を取付工具のソケット部の形状に対して相補的形状である６角形等の円形以外の形状にすると共に、嵌合穴３１１の前方から見た形状を頭部２０と嵌合可能な６角形等の円形以外の形状にしてもよい。これにより、取付工具のソケット部に対して頭部２０を圧入しなくても、取付工具のソケット部に対して頭部２０が回転しないようにすることができ、パッキン１を型枠保持部材４２に取り付ける際の作業性を更に向上させることができる。
【００５９】
また、上記実施形態において、頭部２０の外形を、取付工具６０のソケット部の形状と、嵌合穴３１１の形状と、の両方に対応する形状にしたが、取付工具のソケット部の形状と、キャップ２の嵌合穴３１１の形状と、が異なる場合、取付工具のソケット部の形状及び嵌合穴３１１の形状の何れか一方の形状に対応する形状にしてもよい。
【００６０】
また、上記実施形態において、キャップ２を硬質樹脂により形成したが、キャップ２をモルタルにより形成してもよい。
【００６１】
また、上記実施形態において、鍔部１３に薄肉部１３１を設けたが、鍔部１３に薄肉部１３１を設けなくてもよい。
【００６２】
また、上記実施形態において、本体部１０の型枠保持部材４２が挿入される挿入孔を、外螺子部４２１と螺合する内螺子部１２にしたが、本体部１０の型枠保持部材４２が挿入される挿入孔にネジ溝を設けなくてもよい。本体部の挿入孔にネジ溝を設けない場合には、型枠保持部材４２が本体部の挿入孔に圧入されるようにして、本体部を型枠保持部材４２に取り付ける。
【００６３】
また、上記実施形態において、パッキン１とキャップ２とを別部材として形成したが、パッキン１とキャップ２とを一体にした１つの部材として形成してもよい。パッキン１とキャップ２とを一体にした１つの部材として形成した場合には、パッキン１及びキャップ２をエラストマー又はＥＶＡ樹脂により形成する。
【産業上の利用可能性】
【００６４】
本発明は、コンクリート型枠板の間隔を保持する型枠保持部材に取り付けられるパッキン及び密閉部材に好適である。
【符号の説明】
【００６５】
１  パッキン
２  キャップ
３  密閉部材
４  パッキン
５  パッキン
１０  本体部
１１  前端面
１２  内螺子部
１３  鍔部
１４  リブ
２０  頭部
３１  取付部
３２  本体部
３３  鍔部
３４  リブ
４１  抜き穴
４２  型枠保持部材
４３  コンクリート
５０  モルタル
６０  取付工具
７３  鍔部
１１１  突出部
１３１  薄肉部
１３２  前端面
３１１  嵌合穴
４１１  内底壁面
４１２  内側面
４２１  外螺子部
【図１】
0006762087.tif 000002
【図２】
0006762087.tif 000003
【図３】
0006762087.tif 000004
【図４】
0006762087.tif 000005
【図５】
0006762087.tif 000006
【図６】
0006762087.tif 000007
【図７】
0006762087.tif 000008
【図８】
0006762087.tif 000009
【図９】
0006762087.tif 000010
【図１０】
0006762087.tif 000011
【図１１】
0006762087.tif 000012